(57)【特許請求の範囲】
【請求項１】
注射針に設けた連結部材と、この連結部材を介して前記注射針が取り付けられる外筒と、この外筒内にプランジャを備える注射器において、
前記注射器は、注射針用カバーを備え、
この注射針用カバーは、前記連結部材または前記外筒に取り付け可能な基部と、この基部に一端が連結され前記注射針に沿って引き伸ばし可能な折畳式の腕部と、この腕部の他端に連結され該腕部と共に前記注射針に沿ってスライドして該注射針の先端部を格納するスライダとを有し、
前記スライダを前記連結部材または前記基部の少なくとも一方に着座させて前記腕部を折り畳んだ状態で前記スライダおよび前記腕部を固定する第１の固定手段と、
前記スライダをスライドさせて前記腕部を引き伸ばした状態で前記スライダおよび前記腕部を固定する第２の固定手段とを設け、
この第２の固定手段が、前記腕部を引き伸ばした状態で前記注射針を乗り越えて当該注射針に引っ掛けるフック部であることを特徴とする注射器。
【請求項２】
前記スライダは、前記注射器を使用するまで前記注射針を格納し該注射器の使用に際して分離される使い捨てキャップを一体に備えるものである、請求項１に記載の注射器。
【請求項３】
前記スライダは、このスライダをスライドさせるための把手を有するものである、請求項１又は２に記載の注射器。
【請求項４】
前記腕部は、前記基部に着座したとき、その曲げ部分が外向きに張り出して前記スライダをスライドさせるための把持部を構成するものである、請求項１乃至３のいずれか一項に記載の注射器。
【請求項５】
前記第１の固定手段は、前記スライダおよび前記基部間のアンダカット嵌合若しくは圧入嵌合によって前記スライダのスライドおよび前記腕部の引き伸ばしを規制するものである、請求項１乃至４のいずれか一項に記載の注射器。
【請求項６】
前記第１の固定手段は、前記スライダおよび前記基部とを切り離し可能な薄肉片によって連結することにより、前記スライダのスライドおよび前記腕部の引き伸ばしを規制するものである、請求項１乃至４のいずれか一項に記載の注射器。
【請求項７】
前記連結部材は、前記外筒に対してねじ嵌合されるものである、請求項１乃至６のいずれか一項に記載の注射器。
【発明の詳細な説明】
【０００１】
【発明の属する技術分野】
本発明は、注射針に設けた連結部材と、この連結部材を介して注射針が取り付けられる外筒と、この外筒内にプランジャを備える注射器に関するものである。
【０００２】
【従来の技術】
こうした注射器は、注射針に設けた連結部材であるロック用チップと、このロック用チップを介して注射針が取り付けられる外筒と、この外筒内にプランジャを備えることを基本構成とし、例えば、採血や投薬などに用いられている。このため、注射器の注射針、特に使用後の注射針による事故を防ぐための技術として従来から、注射針をカバーするキャップが提案されている。
【０００３】
【発明が解決しようとする課題】
しかしながら、こうしたキャップは単に針先に被せるものであるため、キャップの取り付け作業を慎重に行わなくてならない。このため、従来技術では、注射器の廃棄が繁雑になるという不都合があった。
【０００４】
本発明は、上述した事実に鑑みてなされたものであり、注射針を安全かつ簡単に廃棄できる注射器を提供することを目的とする。
【０００６】
【課題を解決するための手段】
第１発明に係る注射器は、注射針に設けた連結部材と、この連結部材を介して前記注射針が取り付けられる外筒と、この外筒内にプランジャを備える注射器において、前記注射器は、注射針用カバーを備え、この注射針用カバーは、前記連結部材または前記外筒に取り付け可能な基部と、この基部に一端が連結され前記注射針に沿って引き伸ばし可能な折畳式の腕部と、この腕部の他端に連結され該腕部と共に前記注射針に沿ってスライドして該注射針の先端部を格納するスライダとを有し、前記スライダを前記連結部材または前記基部の少なくとも一方に着座させて前記腕部を折り畳んだ状態で前記スライダおよび前記腕部を固定する第１の固定手段と、前記スライダをスライドさせて前記腕部を引き伸ばした状態で前記スライダおよび前記腕部を固定する第２の固定手段を設け、この第２の固定手段が、前記腕部を引き伸ばした状態で前記注射針を乗り越えて当該注射針に引っ掛けるフック部であることを特徴とするものである。
【０００９】
第２発明に係る注射器は、上記第１発明において、上記スライダは、注射器を使用するまで注射針を格納し該注射器の使用に際して分離される使い捨てキャップを一体に備えるものであることが好ましい。
【００１０】
第３発明に係る注射器は、上記第１又は２発明のいずれか一発明において、スライダは、このスライダをスライドさせるための把手を有するものであることが好ましい。
【００１１】
第４発明に係る注射器は、上記第１乃至第３発明のいずれか一発明において、腕部は、基部に着座したとき、その曲げ部分が外向きに張り出してスライダをスライドさせるための把持部を構成するものであることが好ましい。
【００１２】
第５発明に係る注射器は、上記第１乃至第４発明のいずれか一発明において、第１の固定手段は、スライダおよび基部間のアンダカット嵌合若しくは圧入嵌合によってスライダのスライドおよび腕部の引き伸ばしを規制するものであることが好ましい。
【００１３】
第６発明に係る注射器は、上記第１乃至第４発明のいずれか一発明において、第１の固定手段は、スライダおよび基部を切り離し可能な薄肉片によって連結することにより、前記スライダのスライドおよび腕部の引き伸ばしを規制するものであることが好ましい。
【００１４】
第７発明に係る注射器は、上記第１乃至第６発明のいずれか一発明において、連結部材は、外筒に対してねじ嵌合されるものであることが好ましい。
【００１５】
【発明の実施の形態】
以下、図面を参照して本発明の一実施形態を詳細に説明する。
【００１６】
図１（ａ），（ｂ）はそれぞれ、本発明の第１の参考技術である注射器１００を使用する前の状態を示す断面図および、使用後の状態を示す一部断面図である。また、図２は、注射器１００を使用する前の後述する注射針用カバー１５０を示す斜視図である。
【００１７】
注射器１００は、図１（ａ）に示す如く、注射針１１０に設けた連結部材であるロック用チップ１２０と、このロック用チップ１２０を介して注射針１１０が取り付けられる外筒１３０と、この外筒１３０の内室１３０Ｒを摺動するプランジャ１４０とを備える。
【００１８】
本参考技術では、ロック用チップ１２０は、図１（ａ）に示す如く、その底部にフランジ１２１を有する。また外筒１３０は、その流通路ｒ130周りに環状溝１３１を有し、この環状溝１３１の側面には外筒１３０の軸線方向に沿って３つの凸部１３２が形成されている。これにより、ロック用チップ１２０と外筒１３０とは、フランジ１２１および凸部１３２の相互間でなされるアンダカット嵌合によって一体に固定される。
【００１９】
プランジャ１４０は、図１（ａ）に示す如く、その先端に密閉用ゴム１４１を有し、この密閉用ゴム１４１によって外筒１３０の内室１３０Ｒの気密性を保持したまま摺動することができる。
【００２０】
注射器１００は、合成樹脂から一体に形成された注射針用カバー１５０を備える。この注射針用カバー１５０は、ロック用チップ１２０に取り付け可能な基部１５１と、この基部１５１に一端を連結し注射針１１０に沿って引き伸ばし可能な折畳式の腕部１５２と、この腕部１５２の他端に連結され該腕部１５２と共に注射針１１０に沿ってスライドして該注射針１１０の先端部１１１を格納するスライダ１５３と、スライダ１５３を基部１５１に着座させて腕部１５２を折り畳んだ状態でスライダ１５３および腕部１５２を固定する第１の固定手段１５４と、スライダ１５３をスライドさせて腕部１５２を引き伸ばした状態でスライダ１５３および腕部１５２を固定する第２の固定手段１５５とを有する。
【００２１】
本参考技術では、ロック用チップ１２０は、その上部にもフランジ１２２を有する。また基部１５１は、図１（ｂ）に示す如く、ロック用チップ１２０の上部が貫通する貫通穴１５１ｈを有し、この貫通穴１５１ｈの側面には環状溝１５１ｎ1が形成されている。これにより、ロック用チップ１２０と基部１５１とは、フランジ１２２および環状溝１５１ｎ1の相互間でなされるアンダカット嵌合によって一体に固定される。
【００２２】
腕部１５２は、基部１５１およびスライダ１５３と一体に成形されたものであって、図１（ｂ）に示す如く、基部１５１との連結部分を薄肉にしてヒンジＨ1を形成する一方、スライダ１５３との連結部分を薄肉にしてヒンジＨ2を形成すると共に、ヒンジＨ1およびヒンジＨ2の間を一部薄肉にしてヒンジＨ3を形成している。つまり、腕部１５２は、ヒンジＨ3を介して回動自在に連結した第１腕部１５２ａおよび第２腕部１５２ｂを有し、その一端（第１腕部１５２ａの一端）を基部１５１に対しヒンジＨ1を介して回動自在に連結すると共に、その他端（第２腕部１５２ｂの一端）をスライダ１５３に対しヒンジＨ2を介して回動自在に連結することによって折り畳み可能となる。
【００２３】
スライダ１５３は、注射針１１０が貫通する穴１５３ｈを有し、図１（ａ）に示す如く、腕部１５２を折り畳んだ状態では基部１５１に着座している。第１の固定手段１５４は、図１（ｂ）に示す如く、スライダ１５３に設けた突条（または突起）１５３ｆと、基部１５１の貫通穴１５１ｈに設けた環状溝１５１ｎ2との相互間でなされるアンダカット嵌合によってスライダ１５３および腕部１５２を固定するものである。この場合、注射器１００の使用中または後述する使い捨てキャップＣ1の取り外し時において、スライダ１５３が誤って基部１５１から離脱してしまうことがない。
【００２４】
また本参考技術では、スライダ１５３の一部が基部１５１内に収納されるため、注射針用カバー１５０全体の長さ寸法が短く済むという利点が得られるが、勿論、本実施形態の如く、スライダ１５３が基部１５１の内部に嵌合するものに限らず、基部１５１に突条（または突起）を設けると共に、スライダ１５３の貫通穴１５３ｈに環状溝を設けることによって、スライダ１５３が基部１５１の外部に嵌合するものであっても同様な効果が得られる。さらに、スライダ１５３は、アンダカット嵌合させることなく、基部１５１に対して圧入嵌合させてもよい。
【００２５】
またスライダ１５３は、図１（ａ）に示す如く、その上端部分に、注射針１１０を格納する使い捨てキャップＣ1を一体に備える。この使い捨てキャップＣ1は、スライダ１５３との結合部分を薄肉とすることによってスライダ１５３から引きちぎることができる。これにより、使い捨てキャップＣ1は、注射器１００を使用するまで注射針１１０を格納し該注射器１００の使用に際して引きちぎって分離することができる。この場合、使用者が使用前の注射針１１０に直接接触することなく、キャップを取り外すことができる。また、使い捨てキャップＣ1を一体に成形しているので、部品点数を削減することができるという利点が得られる。但し、使い捨てキャップＣ1とスライダ１５３との結合部は、第１の固定手段１５４のアンダカット嵌合を解除する力よりも小さい力で分離できるように設定する。
【００２６】
さらにスライダ１５３は、腕部１５２をヒンジ結合する部分がスライダ１５３をスライドさせるための把手１５３Ｇをなしている。この把手１５３Ｇは、図２に示す如く、その一部が切り欠かれたフランジ形状であって、この切り欠き部分には、第２の固定手段１５５であるストッパＳを取り付けるための環状溝１５３ｎが形成されている。この場合、スライダ１５３が把手１５３Ｇを有するから、把手１５３Ｇを引き上げるだけでスライダ１５３を簡単にスライドさせることができると共に、注射器１００の持ち運びが容易である。
【００２７】
ストッパＳは、環状溝１５３ｎに嵌り合ってスライダ１５３からずれることなく固定されるＣ字断面の円筒形本体Ｓ1と、この本体Ｓ1と一体に形成された弾性変形可能な舌片Ｓ2とからなる。このストッパＳの舌片Ｓ2は、図１（ａ）に示す如く、スライダ１５３が基部１５１に着座している状態では注射針１１０の側面に接しているが、図１（ｂ）に示す如く、スライダ１５３が注射針１１０の先端部分を格納する状態になると、注射針１１０の側面との接触が解除されてスライダ１５３の貫通穴１５３ｈを封鎖する。この場合、腕部１５２が誤って折り畳まれる向きに戻ろうとしても、舌片Ｓ2が注射針１１０の先端部分１１１と接触するため、注射針１１０をカバー１５０内に収納した後も、カバー１５０が再び折り畳まれて注射針１１０を露出させてしまうことがない。なお、ストッパＳは、円筒形本体Ｓ1を有するため、予めスライダ１５３に取り付けても、スライダ１５３をスライドさせた後に取り付けてもよい。また本実施形態のストッパＳは、スライダ１５３と別体に取り付けたものであるが、ストッパＳをスライダ１５３と一体に成形してもよい。
【００２８】
ここで、本参考技術の作用を説明する。
使用前の注射器１００は、図１（ａ）に示す如く、スライダ１５３を基部１５１に着座させて腕部１５２を折り畳んだ状態でスライダ１５３および基部１５１が固定され注射針１１０が使い捨てキャップＣ1内に格納されている。注射器１００を使用するときは、キャップＣ1を矢印の向きに回してスライダ１５３からちぎり取り、注射針１１０を露出させる。これにより、採血や投薬が可能となる。
【００２９】
注射器１００を使用した後は、図１（ｂ）に示す如く、把手１５３Ｇを指に引っ掛けるなどしてスライダ１５３を引っ張って第１の固定手段１５４による基部１５１およびスライダ１５３間のアンダカット嵌合を解除すると共にスライダ１５３をスライドさせて折り畳まれた腕部１５２を引き伸ばす。そしてスライダ１５３が注射針１１０の先端部分１１１を貫通穴１５３ｈ内に格納する位置までスライドすると、ストッパＳの舌片Ｓ2は、注射針１１０の側面との接触が解除されてスライダ１５３の貫通穴１５３ｈを封鎖する。これにより、腕部１５２およびスライダ１５３は、舌片Ｓ2が注射針１１０の先端部１１１に接触する位置、即ち、第２の固定手段１５５によってスライダ１５３が注射針１１０の先端部１１１を貫通穴１５３ｈ内に格納する位置で固定され、注射器１１０は、基部１５１、腕部１５２およびスライダ１５３とで形成された収納空間Ｒ1に収納される。
【００３０】
従って本参考技術によれば、人が使用後の注射針１１０に直接接触することなく、この注射針１１０を安全かつ簡単にカバーすることができるため、使用済みの注射器１００の廃棄も安全かつ簡単にできる。
【００３１】
図３（ａ），（ｂ）はそれぞれ、本発明の一実施形態である注射器２００を使用する前の状態を示す断面図および、使用後の状態を示す断面図である。また、図４（ａ），（ｂ）はそれぞれ、後述する注射針用カバー２５０に設けたフック部の作用を説明する斜視図である。
【００３２】
注射器２００は、注射針２１０に設けた連結部材であるロック用チップ２２０と、このロック用チップ２２０を介して注射針２１０が取り付けられる外筒２３０と、この外筒２３０の内室２３０Ｒを摺動するプランジャ２４０とを備える。
【００３３】
本実施形態では、ロック用チップ２２０は、その底部付近におねじ部２２１を有し、また外筒２３０は、その流通路ｒ230周りにおねじ部２２１がねじ止めされるめねじ部２３１を有する。これにより、ロック用チップ２２０と外筒２３０とは、おねじ部２２１およびめねじ部２３１の相互間でなされるねじ嵌合によって一体に固定される。この場合、ロック用チップ２２０は、外筒２３０に対してねじ嵌合されるため、使用者が注射針２１０に直接接触することなく、外筒２３０と分別廃棄することができる。
【００３４】
プランジャ２４０は、その先端に密閉用ゴム２４１を有し、この密閉用ゴム２４１によって外筒２３０の内室２３０Ｒの気密性を保持したまま摺動することができる。
【００３５】
注射器２００は、合成樹脂から一体に形成された注射針用カバー２５０を備える。この注射針用カバー２５０は、ロック用チップ２２０に取り付け可能な基部２５１と、この基部１５１に一端を連結し注射針２１０に沿って引き伸ばし可能な折畳式の腕部２５２と、この腕部２５２の他端に連結され該腕部２５２と共に注射針２１０に沿ってスライドして該注射針２１０の先端部２１１を格納するスライダ２５３と、スライダ２５３を基部２５１に着座させて腕部２５２を折り畳んだ状態でスライダ２５３および腕部２５２を固定する第１の固定手段２５４と、スライダ２５３をスライドさせて腕部２５２を引き伸ばした状態でスライダ２５３および腕部２５２を固定する第２の固定手段２５５とを有する。
【００３６】
本実施形態では、ロック用チップ２２０は、図３（ｂ）に示す如く、その上部に軸線方向に沿って末広がりの拡張部２２２を有する。また基部２５１は、図３（ｂ）に示す如く、ロック用チップ２２０の上部が貫通する貫通穴２５１ｈを有し、この貫通穴２５１ｈの底面付近には貫通穴２５１ｈの内側に環状溝２５１ｎが形成されている。これにより、ロック用チップ２２０と基部２５１とは、拡張部２２２および環状溝２５１ｎの相互間でなされるアンダカット嵌合によって一体に固定される。
【００３７】
腕部２５２は、基部２５１およびスライダ２５３と一体に成形されたものであって、図３（ｂ）に示す如く、基部２５１との連結部分を薄肉にしてヒンジＨ1を形成する一方、スライダ２５３との連結部分を薄肉にしてヒンジＨ2を形成すると共に、ヒンジＨ1およびヒンジＨ2の間を一部薄肉にしてヒンジＨ3を形成している。つまり、腕部１５２は、ヒンジＨ3を介して回動自在に連結した第１腕部２５２ａおよび第２腕部２５２ｂを有し、その一端（第１腕部２５２ａの一端）を基部２５１に対しヒンジＨ1を介して回動自在に連結すると共に、その他端（第２腕部２５２ｂの一端）をスライダ２５３に対しヒンジＨ2を介して回動自在に連結することによって折り畳み可能となる。
【００３８】
また腕部２５２は、図３（ａ）の領域Ｘに示す如く、基部２５１に着座したとき、第１腕部２５２ａおよび第２腕部２５２ｂがヒンジＨ3を介して外向きに張り出すように設定されている。これにより、張り出し部分Ｘは、スライダ２５３をスライドさせるための把持部をなしている。この場合、張り出し部Ｘを指で挟んで押すだけでスライダ２５３を簡単にスライドさせることができる。また、張り出し部Ｘを把持部として用いるため、腕部２５２やスライダ２５３に把手などを設ける必要がないので、注射針用カバー２５０の減量化を図ることができる。
【００３９】
スライダ２５３は、図３（ｂ）に示す如く、注射針２１０が貫通する貫通穴２５３ｈを有し、図３（ａ）に示す如く、腕部２５２を折り畳んだ状態では基部２５１に着座している。第１の固定手段２５４は、図３（ｂ）に示す如く、スライダ２５３の貫通穴２５３ｈに環状溝２５３ｎと、基部２５１に設けた突条（または突起）２５１ｆとの相互間でなされるアンダカット嵌合によってスライダ２５３および腕部２５２を固定するものである。この場合も、注射器２００の使用中または後述の使い捨てキャップＣ2の取り外し時において、スライダ２５３が誤って基部２５１から離脱してしまうことがない。
【００４０】
また本実施形態でも、基部２５１の一部がスライダ２５３内に収納されるため、カバー２５０全体の長さ寸法が短く済むという利点が得られるが、勿論、スライダ２５３が基部２５１の外部に嵌合するものに限らず、第１実施形態の如く、スライダ２５３に突条（または突起）を設けると共に、基部２５１の貫通穴２５１ｈに環状溝を設けることによって、スライダ２５３が基部２５１の内部に嵌合するものであっても同様な効果が得られる。さらに、スライダ２５３は、第１実施形態と同様、アンダカット嵌合させることによって基部２５１に対して圧入嵌合させてもよい。
【００４１】
またスライダ２５３も、第１の参考技術と同様、図３（ａ）に示す如く、その上端部分に、注射針２１０を格納する使い捨てキャップＣ2を一体に備える。この使い捨てキャップＣ2は、第１の参考技術の使い捨てキャップＣ1と同じものであって、スライダ２５３との結合部分を薄肉とすることによって、注射器１００を使用するまで注射針２１０を格納し該注射器２００の使用に際して引きちぎって分離することができる。
【００４２】
第２の固定手段２５５は、腕部２５２に一体に設けたフック部からなる。このフック部２５５は、図３（ａ）に示す如く、スライダ２５３が基部２５１に着座している状態では注射針２１０に関連付けられることなく腕部２５２と共に折り畳まれているが、図３（ｂ）に示す如く、スライダ２５３が注射針２１０の先端部分を格納する状態になると、図４（ａ），（ｂ）に示す如く、フック部２５５が注射針２１０を乗り越えたのちに注射針２１０に引っ掛かる。この場合、腕部２５２が誤って折り畳まれる向きに戻ろうとしても、フック２５５が注射針２１０に引っ掛ってヒンジＨ1〜Ｈ3の回動を規制するため、注射針２１０をカバー２５０内に収納した後も、カバー２５０が再び折り畳まれて注射針２１０を露出させてしまうことがない。なお、フック部２２５は、第２腕部２５２ｂではなく第１腕部２５２ａに設けてもよい。
【００４３】
ここで、本実施形態の作用を説明する。
使用前の注射器２００は、図３（ａ）に示す如く、スライダ２５３を基部２５１に着座させて腕部２５２を折り畳んだ状態でスライダ２５３および基部２５１が固定され注射針２１０が使い捨てキャップＣ2内に格納されている。注射器２００を使用するときは、キャップＣ2を回してスライダ２５３からちぎり取り、注射針２１０を露出させる。これにより、採血や投薬が可能となる。
【００４４】
注射器２００を使用した後は、図３（ｂ）に示す如く、保持部Ｘを指で注射針側に押してスライダ２５３を押し上げて第１の固定手段２５４による基部２５１およびスライダ２５３間のアンダカット嵌合を解除すると共にスライダ２５３をスライドさせて折り畳まれた腕部２５２を引き伸ばす。そしてスライダ２５３が注射針２１０の先端部分２１１を貫通穴２５３ｈ内に格納する位置までスライドすると、腕部２５２に設けたフック部２５５は、注射針２１０を乗り越えて注射針２１０に引っ掛る。これにより、腕部２５２およびスライダ２５３は、第２の固定手段２５５によってスライダ２５３が注射針２１０の先端部を格納する位置で固定され、注射針２１０は、基部２５１、腕部２５２およびスライダ２５３とで形成された収納空間Ｒ2に収納される。
【００４５】
従って本実施形態によれば、人が使用後の注射針２１０に直接接触することなく、この注射針２１０を安全かつ簡単にカバーすることができるため、使用済みの注射器２００の廃棄も安全かつ簡単にできる。
【００４６】
図５（ａ），（ｂ）はそれぞれ、本発明の第２の参考技術である後述のロック用チップ３２０および注射針用カバー３５０を示す分解斜視図および、注射器を使用後の注射針用カバー３５０を示す斜視図である。
【００４７】
上記注射器は、注射針３１０に設けたロック用チップ３２０と、このロック用チップ３２０を介して注射針３１０が取り付けられる既存の外筒と、この外筒内を摺動する同じく既存のプランジャ（図示せず）とを備える。このため、ロック用チップ３２０は、既存の方法によって前記外筒と一体に固定されるものである。
【００４８】
注射器に設けた注射針用カバー３５０は、合成樹脂を一体に形成したものであって、ロック用チップ３２０に取り付け可能な基部３５１と、この基部３５１に一端を連結し注射針３１０に沿って引き伸ばし可能な折畳式の腕部３５２と、この腕部３５２の他端に連結され該腕部３５２と共に注射針３１０に沿ってスライドして該注射針３１０の先端部３１１を格納するスライダ３５３と、スライダ３５３を基部３５１に着座させて腕部３５２を折り畳んだ状態でスライダ３５３および腕部３５２を固定する第１の固定手段３５４と、スライダ３５３をスライドさせて腕部３５２を引き伸ばした状態でスライダ３５３および腕部３５２を固定する第２の固定手段３５５とを有する。
【００４９】
本参考技術では、ロック用チップ３２０は、図５（ａ）に示す如く、その胴体付近に３つのフランジ３２１を有する。また基部３５１は、ロック用チップ３２０の上部が貫通するＣ字断面を形成する開放部３５１ｈを有し、この開放穴３５１ｈの側面にはフランジ３２１が個々に嵌合する３つの環状溝３５１ｎが形成されている。これにより、ロック用チップ３２０と基部３５１とは、フランジ３２１および環状溝３５１ｎの相互間でなされるアンダカット嵌合によって一体に固定される。
【００５０】
腕部３５２は、基部３５１およびスライダ３５３と一体に成形されたものであって、図５（ｂ）に示す如く、基部３５１との連結部分を薄肉にしてヒンジＨ1を形成する一方、スライダ３５３との連結部分を薄肉にしてヒンジＨ2を形成すると共に、ヒンジＨ1およびヒンジＨ2の間を一部薄肉にして隣接する２つのヒンジＨ3，Ｈ4を形成している。つまり、腕部３５２は、ヒンジＨ3，Ｈ4を介して回動自在に連結した第１腕部３５２ａ、第２腕部３５２ｂおよび第３腕部３５２ｃを有し、その一端（第１腕部３５２ａの一端）を基部３５１に対しヒンジＨ1を介して回動自在に連結すると共に、その他端（第３腕部３５２ｃの一端）をスライダ３５３に対しヒンジＨ2を介して回動自在に連結することによって折り畳み可能となる。
【００５１】
スライダ３５３は、注射針３１０が貫通する開放部３５３ｈを有し、腕部３５２を折り畳んだ状態ではロック用チップ３２０および基部３５１に着座している。第１の固定手段３５４は、図５（ａ）に示す如く、スライダ開放部３５３ｈの下端部３５３ｆと基部３５１の上端部とをつなぐ、切り離し可能な薄肉片Ｐを設けて連結することによってスライダ１５３および腕部１５２を固定するものである。この場合、注射器の使用中または後述の使い捨てキャップＣ3の取り外し時において、薄肉片Ｐが切り離され、スライダ３５３が誤って基部３５１から離脱してしまうことがない。
【００５２】
またスライダ３５３は、第１の参考技術および本発明の一実施形態と同様、その上端部分に、スライダ３５３との結合部分を薄肉としてスライダ３５３から引きちぎれる注射針３１０を格納する使い捨てキャップＣ3（図示せず）を一体に備える。さらにスライダ３５３は、第１の参考技術と同様、腕部３５２をヒンジ結合する部分が把手３５３Ｇをなしており、この把手３５３Ｇも、図６に示す如く、その一部が切り欠かれたフランジ形状である。
【００５３】
第２の固定手段３５５は、スライダ３５３に設けたリベット形状部３５３ｐおよび腕部３５２に形成した穴部３５２ｈからなり、リベット形状部３５３ｐは、シャフト部と該シャフト部よりも大径のヘッド部とで構成される。
【００５４】
これにより、腕部３５２に形成した穴部３５２ｈは、スライダ３５３が基部３５１に着座している状態では注射針３１０に関連付けられることなく腕部３５２と共に折り畳まれているが、スライダ３５３が注射針３１０の先端部分３１１を格納する状態になると、スライダ３５３に設けたリベット形状部３５３ｐが腕部３５２に形成した穴部３５２ｈにアンダカット嵌合する。この場合、腕部３５２が誤って折り畳まれる向きに戻ろうとしても、スライダ３５３に設けたリベット形状部３５３ｐが腕部３５２に形成した穴部３５２ｈに引っ掛ってヒンジＨ1〜Ｈ4の回動を規制するため、注射針３１０をカバー３５０内に収納した後も、カバー３５０が再び折り畳まれて注射針３１０を露出させてしまうことがない。なお、第２の固定手段３５５は、スライダ３５３に穴部を形成すると共に腕部３５２にリベット形状部を設けて、スライダ３５３を腕部３５２にアンダカット嵌合させてもよい。
【００５５】
ここで、本参考技術の作用を説明する。
使用前の注射器は、スライダ３５３を基部３５１に着座させて腕部３５２を折り畳んだ状態でスライダ１５３およびロック用チップ３２０が固定され注射針３１０が使い捨てキャップＣ3内に格納されている。注射器を使用するときは、キャップＣ3を回してスライダ３５３からちぎり取り、注射針３１０を露出させる。これにより、採血や投薬が可能となる。
【００５６】
注射器を使用した後は、把手３５３Ｇを指に引っ掛けるなどしてスライダ３５３を引っ張って第１の固定手段３５４であるスライダ３５３と基部３５１とを連結する薄肉片Ｐを切り離すと共にスライダ３５３をスライドさせて折り畳まれた腕部３５２を引き伸ばす。そしてスライダ３５３が注射針３１０の先端部分３１１を開放部３５３ｈ内に格納する位置までスライドすると、腕部３５２に形成した穴部３５２ｈがスライダ３５３に設けたリベット形状部３５３ｐにアンダカット嵌合する。これにより、腕部３５２およびスライダ３５３は、第２の固定手段３５５によってスライダ３５３が注射針３１０の先端部３１１を開放部３５３ｈ内に格納する位置で固定され、注射針３１０は、基部３５１、腕部３５２およびスライダ３５３とで形成された収納空間Ｒ3に収納される。
【００５７】
従って本参考技術によれば、人が使用後の注射針３１０に直接接触することなく、この注射針３１０を安全かつ簡単にカバーすることができるため、使用済みの注射器の廃棄も安全かつ簡単にできる。
【００５８】
上述したところは、本発明の好適な実施形態を示したにすぎず、当業者によれば、請求の範囲において、種々の変更を加えることができる。例えば、第１〜第２の参考技術及び本発明の一実施形態に開示した腕部は、部品点数の削減などの見地から基部とスライダとに一体に成形されたものが好ましいが、複数の腕部をピンによって回動自在に連結したものであってもよい。さらに、腕部は、本実施形態の如く、板や棒状のものに限らず、注射針全体を覆う蛇腹状のものであってもよい。また第１〜第２の参考技術及び本発明の一実施形態は、それぞれの要素を組み合わせてもよい。さらに、第１〜第２の参考技術及び本発明の一実施形態は、使い捨てキャップＣ1〜Ｃ3を一体に備えた注射針用カバーとして説明したが、使い捨てキャップＣを用いることなく、予め注射針用カバーを引き上げて注射器を運搬してもよい。
【００５９】
【発明の効果】
本発明に係る注射器によれば、スライダを連結部材または基部の少なくとも一方に着座させて腕部を折り畳んだ状態からスライダをスライドさせて折り畳まれた腕部を引き伸ばすことにより、スライダで注射針の先端部を格納すると共に、基部、腕部およびスライダとで形成した空間に注射針を収納することができる。従って本発明によれば、人が使用後の注射針に直接接触することなく、この注射針を安全かつ簡単にカバーすることができるため、使用済みの注射器の廃棄も安全かつ簡単にできる。
【図面の簡単な説明】
【図１】  （ａ），（ｂ）はそれぞれ、本発明の第１の参考技術である注射器を使用する前の状態を示す断面図および、使用後の状態を示す断面図である。
【図２】  同実施形態における注射器を使用する前の後述する注射針用カバーを示す斜視図である。
【図３】  （ａ），（ｂ）はそれぞれ、本発明の一実施形態である注射器を使用する前の状態を示す断面図および、使用後の状態を示す断面図である。
【図４】  （ａ），（ｂ）はそれぞれ、同実施形態における注射針用カバーに設けたフック部の作用を説明する斜視図である。
【図５】  （ａ），（ｂ）はそれぞれ、第２の参考技術におけるロック用チップおよび注射針用カバーを示す分解斜視図および、注射器を使用後の注射針用カバーを示す斜視図である。
【図１】
0004444549.tif 000002
【図２】
0004444549.tif 000003
【図３】
0004444549.tif 000004
【図４】
0004444549.tif 000005
【図５】
0004444549.tif 000006